【手続補正書】
【提出日】平成29年6月14日(2017.6.14)
【手続補正１】
【補正対象書類名】特許請求の範囲
【補正対象項目名】全文
【補正方法】変更
【補正の内容】
【特許請求の範囲】
【請求項１】
物理的光景のデジタル表現を構築するための方法であって、
前記物理的光景から未知の対象物を選択するステップと、
前記未知の対象物に関連付けられている少なくとも1つの物理的属性を決定するステップと、
前記未知の対象物に関連付けられている前記少なくとも1つの物理的属性を対象物テンプレートの物理的属性修飾子と比較するステップであって、前記対象物テンプレートは前記未知の対象物とは異なる対象物を表す、ステップと、
プロセッサにより、前記未知の対象物に関連付けられている前記少なくとも1つの物理的属性と対象物テンプレートの物理的属性修飾子との比較に基づいて前記対象物テンプレートを選択するステップであって、前記選択は、前記対象物テンプレートの前記物理的属性修飾子が前記未知の対象物に関連付けられている前記物理的属性とマッチングすると判定することを含む、ステップと、
前記対象物テンプレートに関連付けられている少なくとも1つの表示特性を使用して前記物理的光景から前記未知の対象物の位置で前記物理的光景の前記デジタル表現で表示対象物をレンダリングするステップとを含む、方法。
【請求項２】
前記未知の対象物に関連付けられている前記少なくとも1つの物理的属性は、前記未知の対象物の形状、前記未知の対象物のサイズ、前記未知の対象物の配置、前記未知の対象物の姿勢、前記未知の対象物の他の対象物に関する出現順序、前記表示対象物の前記レンダリングに関連付けられているアプリケーションのモード、および他の未知の対象物の属性のうちの1つまたは複数を含む、請求項1に記載の方法。
【請求項３】
前記対象物テンプレートに関連付けられている前記少なくとも1つの表示特性は、グラフィック特性およびアニメーション特性のうちの1つまたは複数を含む、請求項1に記載の方法。
【請求項４】
前記対象物テンプレートの前記グラフィック特性は、色、サイズ、質感、形状、衝突検出、閉塞、および透明度のうちの1つまたは複数を含む、請求項3に記載の方法。
【請求項５】
前記対象物テンプレートの特性は、アプリケーションの開発時に編集インターフェースを使用して開発者によって選択される、請求項1に記載の方法。
【請求項６】
前記未知の対象物は、複数の未知の対象物のうちの1つであり、前記対象物テンプレートは、前記複数の未知の対象物からの複数の未知の対象物に関連付けられる、請求項1に記載の方法。
【請求項７】
前記対象物テンプレートは複数の対象物テンプレートのうち１つである、請求項1に記載の方法。
【請求項８】
前記表示対象物をレンダリングするステップは、モバイルデバイスのディスプレイ画面上に表示されるべき前記物理的光景を表現する画像上に前記表示対象物をレンダリングするステップを含む、請求項1に記載の方法。
【請求項９】
物理的光景のデジタル表現を構築するためのモバイルデバイスであって、
前記物理的光景を指示する画像データを取得するように構成されたカメラと、
メモリに結合され、
前記物理的光景から未知の対象物を選択するステップと、
前記未知の対象物に関連付けられている少なくとも1つの物理的属性を決定するステップと、
前記未知の対象物に関連付けられている前記少なくとも1つの物理的属性を対象物テンプレートの物理的属性修飾子と比較するステップであって、前記対象物テンプレートは前記未知の対象物とは異なる対象物を表す、ステップと、
前記未知の対象物に関連付けられている前記少なくとも1つの物理的属性と対象物テンプレートの物理的属性修飾子との比較に基づいて前記対象物テンプレートを選択するステップであって、前記選択は、前記対象物テンプレートの前記物理的属性修飾子が前記未知の対象物に関連付けられている前記物理的属性とマッチングすると判定することを含む、ステップと、
前記対象物テンプレートに関連付けられている少なくとも1つの表示特性を使用して前記物理的光景から前記未知の対象物の位置で前記物理的光景の前記デジタル表現で表示対象物をレンダリングするステップと
を行うように構成された
プロセッサとを備える、モバイルデバイス。
【請求項１０】
前記未知の対象物に関連付けられている前記少なくとも1つの物理的属性は、前記未知の対象物の形状、前記未知の対象物のサイズ、前記未知の対象物の配置、前記未知の対象物の姿勢、前記未知の対象物の他の対象物に関する出現順序、前記表示対象物の前記レンダリングに関連付けられているアプリケーションのモード、および他の未知の対象物の属性のうちの1つまたは複数を含む、請求項9に記載のモバイルデバイス。
【請求項１１】
前記対象物テンプレートに関連付けられている前記少なくとも1つの表示特性は、グラフィック特性およびアニメーション特性のうちの1つまたは複数を含む、請求項9に記載のモバイルデバイス。
【請求項１２】
前記対象物テンプレートの前記グラフィック特性は、色、サイズ、質感、形状、衝突、閉塞、および透明度のうちの1つまたは複数を含む、請求項11に記載のモバイルデバイス。
【請求項１３】
前記対象物テンプレートの特性は、アプリケーションの開発時に編集インターフェースを使用して開発者によって選択される、請求項9に記載のモバイルデバイス。
【請求項１４】
前記未知の対象物は、複数の未知の対象物のうちの1つであり、前記対象物テンプレートは、前記複数の未知の対象物からの複数の未知の対象物に関連付けられる、請求項9に記載のモバイルデバイス。
【請求項１５】
前記対象物テンプレートは複数の対象物テンプレートのうち１つである、請求項9に記載のモバイルデバイス。
【請求項１６】
前記表示対象物をレンダリングするステップは、前記モバイルデバイスのディスプレイ画面上に表示されるべき前記物理的光景を表現する画像上に前記表示対象物をレンダリングするステップを含む、請求項9に記載のモバイルデバイス。
【請求項１７】
非一時的コンピュータ可読記憶媒体であって、前記非一時的コンピュータ可読記憶媒体はプロセッサによって実行可能な命令を備え、前記命令は、
物理的光景から未知の対象物を選択するための命令と、
前記未知の対象物に関連付けられている少なくとも1つの物理的属性を決定するための命令と、
前記未知の対象物に関連付けられている前記少なくとも1つの物理的属性を対象物テンプレートの物理的属性修飾子と比較するための命令であって、前記対象物テンプレートは前記未知の対象物とは異なる対象物を表す、命令と、
前記未知の対象物に関連付けられている前記少なくとも1つの物理的属性と対象物テンプレートの物理的属性修飾子との比較に基づいて前記対象物テンプレートを選択するための命令であって、前記選択は、前記対象物テンプレートの前記物理的属性修飾子が前記未知の対象物に関連付けられている前記物理的属性とマッチングすると判定することを含む、命令と、
前記対象物テンプレートに関連付けられている少なくとも1つの表示特性を使用して前記物理的光景から前記未知の対象物の位置で前記物理的光景のデジタル表現で表示対象物をレンダリングするための命令とを含む、非一時的コンピュータ可読記憶媒体。
【請求項１８】
前記未知の対象物に関連付けられている前記少なくとも1つの物理的属性は、前記未知の対象物の形状、前記未知の対象物のサイズ、前記未知の対象物の配置、前記未知の対象物の姿勢、前記未知の対象物の他の対象物に関する出現順序、前記表示対象物の前記レンダリングに関連付けられているアプリケーションのモード、および他の未知の対象物の属性のうちの1つまたは複数を含む、請求項17に記載の非一時的コンピュータ可読記憶媒体。
【請求項１９】
前記対象物テンプレートに関連付けられている前記少なくとも1つの表示特性は、グラフィック特性およびアニメーション特性のうちの1つまたは複数を含む、請求項17に記載の非一時的コンピュータ可読記憶媒体。
【請求項２０】
前記対象物テンプレートの前記グラフィック特性は、色、サイズ、質感、形状、衝突検出、閉塞、および透明度のうちの1つまたは複数を含む、請求項19に記載の非一時的コンピュータ可読記憶媒体。
【請求項２１】
前記対象物テンプレートの特性は、アプリケーションの開発時に編集インターフェースを使用して開発者によって選択される、請求項17に記載の非一時的コンピュータ可読記憶媒体。
【請求項２２】
前記未知の対象物は、複数の未知の対象物のうちの1つであり、前記対象物テンプレートは、前記複数の未知の対象物からの複数の未知の対象物に関連付けられる、請求項17に記載の非一時的コンピュータ可読記憶媒体。
【請求項２３】
前記対象物テンプレートは複数の対象物テンプレートのうち１つである、請求項17に記載の非一時的コンピュータ可読記憶媒体。
【請求項２４】
前記表示対象物をレンダリングするステップは、モバイルデバイスのディスプレイ画面上に表示されるべき前記物理的光景を表現する画像上に前記表示対象物をレンダリングするステップを含む、請求項17に記載の非一時的コンピュータ可読記憶媒体。
【請求項２５】
物理的光景のデジタル表現を構築するための装置であって、
物理的光景から未知の対象物を選択するための手段と、
前記未知の対象物に関連付けられている少なくとも1つの物理的属性を決定するための手段と、
前記未知の対象物に関連付けられている前記少なくとも1つの物理的属性を対象物テンプレートの物理的属性修飾子と比較するための手段であって、前記対象物テンプレートは前記未知の対象物とは異なる対象物を表す、手段と、
前記未知の対象物に関連付けられている前記少なくとも1つの物理的属性と対象物テンプレートの物理的属性修飾子との比較に基づいて前記対象物テンプレートを選択するための手段であって、前記選択は、前記対象物テンプレートの前記物理的属性修飾子が前記未知の対象物に関連付けられている前記物理的属性とマッチングすると判定することを含む、手段と、
前記対象物テンプレートに関連付けられている少なくとも1つの表示特性を使用して前記物理的光景から前記未知の対象物の位置で前記物理的光景のデジタル表現で表示対象物をレンダリングするための手段とを備える、装置。
【請求項２６】
前記未知の対象物に関連付けられている前記少なくとも1つの物理的属性は、前記未知の対象物の形状、前記未知の対象物のサイズ、前記未知の対象物の配置、前記未知の対象物の姿勢、前記未知の対象物の他の対象物に関する出現順序、前記表示対象物の前記レンダリングに関連付けられているアプリケーションのモード、および他の未知の対象物の属性のうちの1つまたは複数を含む、請求項25に記載の装置。
【請求項２７】
前記対象物テンプレートに関連付けられている前記少なくとも1つの表示特性は、グラフィック特性およびアニメーション特性のうちの1つまたは複数を含む、請求項25に記載の装置。
【請求項２８】
前記対象物テンプレートの前記グラフィック特性は、色、サイズ、質感、形状、衝突検出、閉塞、および透明度のうちの1つまたは複数を含む、請求項27に記載の装置。
【請求項２９】
前記対象物テンプレートの特性は、アプリケーションの開発時に編集インターフェースを使用して開発者によって選択される、請求項25に記載の装置。
【請求項３０】
前記未知の対象物は、複数の未知の対象物のうちの1つであり、前記対象物テンプレートは、前記複数の未知の対象物からの複数の未知の対象物に関連付けられる、請求項25に記載の装置。